(57)【要約】  本発明は、移動式コンクリートポンプ（１）の為の支持構造体（１０）と、この型式の支持構造体（１０）を有する移動式コンクリートポンプ（１）に関する。分配ブーム（２）を接続する為の移動式コンクリートポンプ（１）の為の発明による支持構造体（１０）は、互いに斜めに交差する２つの支持脚用ボックス（１３）と、そこに付けられたブーム台（１５）とを備え、ブーム台（１５）は、開口部（１７）を有するタレット（１６）を有し、開口部（１７）は、一端で、旋回軸受（１９）の為のレセプタクル（１８）によって少なくとも部分的に囲まれ、タレット（１６）に対してコンクリートポンプ（１）の分配ブーム（２）を旋回させる。タレット（１６）の壁の各部は、互いに交差する支持脚用ボックス（１３）の側壁（２０）によって形成され、支持脚用ボックス（１３）の側壁は、それらがタレット（１６）の壁の一部を形成する第１領域において、接合点がなく、側壁（１３）に直接タレット（１６）を介して導入された負荷重は、側壁（１３）の接合点に剪断負荷重を有することなく、第１領域を越えて分配される。本発明による移動式コンクリートポンプ（１）は、本発明による支持構造体（１０）を備える。【選択図】  図３
2020510767.tif 000002
【特許請求の範囲】
【請求項１】
分配ブーム（２）の接続の為の移動式コンクリートポンプ（１）用支持構造体（１０）において、
互いに斜めに交差する２つの支持脚用ボックス（１３）と、
前記支持脚用ボックス（１３）に固定され、開口部（１７）を有するタレット（１６）を有する、ブーム台（１５）であって、前記開口部（１７）は、一端で、前記タレット（１６）に対して前記コンクリートポンプ（１）の前記分配ブーム（２）を旋回させる為の回転軸受（１９）用マウント（１８）によって少なくとも部分的に囲まれる、前記ブーム台（１５）と、
を備え、
各々の場合、前記タレット（１６）の前記壁配置の一部が、互いに交差する前記支持脚用ボックス（１３）の側壁（２０）によって形成され、前記支持脚用ボックス（１３）の前記側壁（２０）は、それらが前記タレット（１６）の前記壁配置の一部を形成する第１領域において、接合点がなく、前記側壁（１３）に直接、前記タレット（１６）を介して導入された負荷重は、前記側壁（１３）の接合点の剪断負荷重を有することなく、前記第１領域を越えて分配されることを特徴とする、支持構造体。
【請求項２】
前記支持脚ボックス（１３）の前記側壁は、前記側壁（１３）に直接、前記タレット（１６）を介して導入された前記負荷重による剪断負荷重を受ける接続点が全く無いことを特徴とする、請求項１に記載の支持構造体。
【請求項３】
前記支持脚用ボックス（１３）の、各々が前記タレット（１６）の前記壁配置の一部を形成する、前記二つの側壁（２０）は、共通の当接エッジ（２３）によって互いに直接接続されることを特徴とする、請求項１または２に記載の支持構造体。
【請求項４】
前記タレット（１６）の前記壁配置の一部を形成する移行板（２２）は、前記２つの側壁（２２）の間に設けられることを特徴とする、請求項１または２に記載の支持構造体。
【請求項５】
少なくとも一つ、好ましくは両方の側壁（２０）は、それぞれの支持脚用ボックス（１３）を超えて接合点が無いように、前記回転軸受（１９）まで延びていることを特徴とする、請求項１〜４のいずれか一項に記載の支持構造体。
【請求項６】
前記支持脚用ボックス（１３）を超えて延びる前記側壁（２０）の部分の成形は、可能な限り最小のノッチ効果を有することを特徴とする、請求項４に記載の支持構造体。
【請求項７】
前記タレット（１６）の前記壁配置は、前記支持脚用ボックス（１３）の前記側壁（２０）によって形成された部分の外側領域で、単体によって、単一又は複数の角度付き又は丸みのある板（２１）によって形成され、前記板（２１）は、前記支持脚用ボックス（１３）に溶接することによって連結されるのが好ましいことを特徴とする、請求項１〜６のいずれか一項に記載の支持構造体。
【請求項８】
回転軸受（１９）の為のマウント（１８）は、好ましくは完全に取り囲む軸受フランジとして形成され、前記軸受フランジは、前記タレット（１６）の前記壁配置上にあり、更に好ましくは前記壁配置に溶接されることを特徴とする、請求項１〜７のいずれか一項に記載の支持構造体。
【請求項９】
移動式下部構造体（３）上に固定され、拡張可能な支持脚（１１）を有する支持構造体（１０）を備える、移動式コンクリートポンプ（１）において、
前記支持脚（１１）は、前記支持構造体上に配置され、地面で前記コンクリートポンプ（１）を支持する為に役立ち、移動式コンクリートポンプ（１）は、前記支持構造体（１０）上で回転できるように装着された分配ブーム（３）を備え、
前記支持構造体（１０）は、請求項１〜８のいずれか一項に記載のように設計されることを特徴とする、移動式コンクリートポンプ（１）。
【発明の詳細な説明】
【技術分野】
【０００１】
本発明は、移動式コンクリートポンプの為の支持構造体と、対応する支持構造体を備えた移動式コンクリートポンプとに関する。
【０００２】
移動式コンクリートポンプは、一般的にブームを有し、ブームは、移動式下部構造体（一般的には重量物車両シャシ）に配置され、その下部構造体に対して旋回可能であり、それに沿って案内された搬送ラインを有し、搬送ラインを通って、下部構造体に配置されたコンクリートポンプによって、流動性コンクリートを搬送できる。ここで、ブームは複数のブーム用アームを備え、これらのアームは、いずれの場合も、ブーム用アームの長手方向に対して横向きの軸を中心として互いに旋回することができる。
【０００３】
使用中のコンクリートポンプの安定性を確保するため、ブームは、支持構造体によって重量物車両シャシに接続されている。ここで、支持構造体は、支持脚を備え、重量物車両シャシによらず、これらの支持脚によって、前記支持構造体は、地面に支持可能になり、ブームアームに起因する負荷重モーメントが、支持脚を経て排他的に地面に導入される。
【０００４】
移動式コンクリートポンプに対して、支持構造体は知られているが、これらは、重量物車掌シャシの移動方向で見られるように、２つの前方伸縮自在支持脚および後方伸縮自在支持脚を有する。前方支持脚は、この場合、支持構造体の支持脚用ボックス内に配置され、これらは、平面図においてＸ形状に互いに交差し、後方支持脚も旋回できるように支持脚用ボックスに接続されている。
【０００５】
ブームは、いわゆるタレットを介して、支持構造体に付けられている。ここで、タレットは、最上部側に配置されたマウントを備えた中空本体を備え、このマウントが、ブームの回転可能な接続に役立つ。ここで、タレットは、重量物車両シャシの移動方向において、支持脚用ボックスの交差地点の前に配置され、一般的には、支持脚用ボックスに直接接続される。
【０００６】
支持構造体の残部に対するタレットの接続は、一般的には、接合によって、特に、溶接によって実現される。溶接シームを介して分散されなければならないブームによる高負荷重のため、前記溶接シームが形成され、特別な注意でチェックされなければならず、これが、その生産を面倒かつ不経済にする。これは、設けられる場合がある支持または補強リブにおける溶接シームにも該当する。
【０００７】
WO 2014/029552は、移動式コンクリートポンプの為の支持構造体を記載するが、この場合、タレットは、多角形の外郭を有し、支持構造体の突き合わせ多角形開口部に嵌め込まれる。ここで、タレットの部品は、支持脚用ボックスの側壁と同じ高さに配置され、一定の部分で、これを交換する場合がある。WO 2014/029552によるタレットの場合であっても、支持構造体への力の導入は他の従来技術に関して既に改善されているが、支持構造体にタレットを直接接続する為に必要な少なくとも４つの溶接シームは、依然として、特に負荷重に耐えるように形成されなければならない。設けられる場合がある支持または補強リブの為の溶接シームも高い負荷重を受ける。
【発明の概要】
【０００８】
本発明は、移動式コンクリートポンプの為に従来技術に関連して改善される支持構造体および移動式コンクリートの提供を目的とする。
【０００９】
前記目的は、請求項１に記載の支持構造体と、それに調和する請求項９に記載のコンクリートポンプとによって達成される。従属請求項は、有利な改良に関する。
【００１０】
したがって、支持構造体は、互いに斜めに川迫する２つの支持脚用ボックスと、前記支持脚用ボックスに固定され、開口部を有するタレットを有するブーム台とを備える、分配ブームの接続の為の移動式コンクリートポンプ用支持構造体に関するが、前記開口部は、一端部で、タレットに関するコンクリートポンプの分配ブームの旋回の為の回転軸受用マウントによって少なくとも部分的に囲まれ、各々の場合、タレットの壁配置の一部は、互いに交差する支持脚用ボックスの側壁によって形成され、支持脚用ボックスの側壁は、各々が、それらがタレットの壁配置の一部を形成する第１領域において、接合点を持たないので、タレットを経て側壁に導入される負荷重は、側壁の接合点の剪断負荷重を有することなく第１領域を越えて分配される。
【００１１】
さらに、本発明は、移動式株構造体に固定され、拡張可能な支持脚を有する支持構造体を備えた移動式コンクリートポンプに関し、拡張可能な支持脚は、支持構造体上に配置され、地面でコンクリートポンプを支持するのに役立ち、移動式コンクリートポンプは、支持構造体上に回転できるように装着された分配ブームを備え、支持構造体は、本発明に従って設計される。
【００１２】
まず、本発明と共に使用される幾つかの表現を説明する。
【００１３】
側壁がタレットの壁配置の一部を形成する支持脚ボックスの側壁の全領域は、本発明の状況において、側壁の第１領域と呼ばれる。
【００１４】
コンポーネントまたはコンポーネントの領域は、全体または少なくとも問題となる領域のコンポーネントが、接合点によって単に接続された複数の、以前には別個のワークピースではない場合には「接合点が無い」。第１コンポーネントが接合点によって更なるコンポーネントに接続される場合、本発明の意味の範囲内で、第１コンポーネントは、述べられた条件下で、依然として、接合点が無いとみなされる。
【００１５】
所定の負荷重の存在下で、コンポーネントを通る力の流れが接合点を交差し、接合点が実質的に直交してのみ設けられる場合、コンポーネントは、「接合点が無く、所定負荷重の存在下で、コンポーネントの接合点に剪断負荷重が生じない」。
【００１６】
たとえば、コンクリートポンプの操作中、タレットにおける負荷重は、実質的に垂直方向に続く力の流れを発生させ得る。支持脚用ボックスの側壁の第１領域は、この場合、垂直に対して略平行に続く接合点が無く、好ましくは、力の流れによって直交する略水平に続く接合点だけを有する。支持構造体の構造型式によると、他の方向を指す力の流れも操作中に生じる場合がある。
【００１７】
本発明の文脈において、タレットの壁配置の一部は、支持脚用ボックスの側壁によって形成されるが、これは、側壁が、タレットの壁配置の一部を直接形成することを意味する。側壁の形状は、この場合、タレットの壁配置の対応した一部の形状を模写するようなものである。本発明によれば、各々の場合、タレットの壁配置の一部が、互いに交差する支持脚用ボックスの側壁によって形成されるという点で、互いに交差する２つの支持脚用ボックスは、それぞれの第１領域によって、タレットの壁配置の完成に貢献する。このように、それぞれの支持脚用ボックスの第１領域と共に、完全なタレットが形成され、その形状は、ブームから支持脚用ボックスへの負荷重の伝達に最適化されている。
【００１８】
側壁の２つの第１領域は、各々の場合、タレットの開口部まで拡張するのが好ましいが、タレットの開口部には、分配ブームの旋回の為の回転軸受が配置されている。このように、分配ブームからの負荷重は、側壁の、それぞれの第１領域へと、そこから支持脚用ボックスへと、直接分散可能である。
【００１９】
タレットの壁配置の一部は、各々の場合、支持脚用ボックスの一つの側壁によって直接形成されるという点で、タレットへと分配ブームによって導入された負荷重の少なくとも一部は、すなわち、特に、剪断負荷重を受ける接合点を介してではなく、側壁へと直接導入される。ここで、本発明によると、側壁には接合点が無いので、側壁に直接導入される負荷重の一部は、タレット壁配置の一部を直接形成する側壁の第１領域を経て、側壁を超えて、すなわち、支持脚用ボックスへと分布され、側壁自体には、分配ブームからの負荷重の為に剪断を受け得る接合点（たとえば、溶接シーム）が一切、作られていない。支持構造体の典型的な設置状況において、これは、特に、側壁の前記領域に垂直接合点が何も設けられないことを意味する。そのため、支持脚用ボックスの問題の側壁へと、すなわち、全体として支持脚用ボックスへと力を導入することは有利であり、前記側壁は、自明ながら、接合点によって、他のコンポーネント又は支持脚用ボックスの他の壁に接続されてもよい。
【００２０】
一つの連続したタレット壁配置を備えた従来技術に関連して特に不要になることは、本発明による解決策の場合において、タレットが支持構造体に接続される一つ又は複数の高い剪断力負荷重の溶接シームを経て、支持構造体へと全体の作用力の流れが伝達されることである。むしろ、本発明によると、負荷重の一部は、支持脚用ボックスの側壁を経て、直接支持構造体へと既に導入されている。支持脚用ボックスの側壁によって、直接形成されないタレットの、それらの部分から支持構造体へと伝達される力の流れは、同様に、全体の負荷重の一部のみを構成する。力の流れの、たとえば溶接シームのような、この経路に配置された全ての接合点も、従来技術における溶接シームより低い負荷重を受けるにすぎず、したがって、より低い価格で形成することができる。
【００２１】
好ましいのは、支持脚用ボックスの側壁に、タレットを経て側壁へと直接導入される負荷重による剪断負荷重を受ける接合点が全く無い場合である。言い換えると、タレットの壁配置の一部の領域を経て側壁へと導入される負荷重によって剪断負荷重を受ける場合がある接合点は、前記側壁がタレット壁配置の一部を形成する直接の領域の側壁で省略されるだけでなく、全体的に省略されることが意図されている。
【００２２】
好ましいのは、各々がタレットの壁配置の部分を形成する支持脚用ボックスの２つの側壁が共通の当接縁部によって互いに直接接続される場合である。そのため、支持脚用ボックスの側壁は、組み立てられた支持構造体において、前記側壁がタレット壁配置の領域で互いに当接するように形成され、それによって、特に、タレットの壁配置も、この領域で閉じられる。支持構造体全体の耐負荷重能力および剛性を高めるため、ここで有利なことは、たとえば、接合または溶接によって、正確に当接縁部で２つの側壁を互いに接続することである。そのように形成された接合点は、２つの側壁を接続するが、それら自体は、本発明により意図された領域内で接合点が無いままである。
【００２３】
あるいは、タレットの壁配置の一部を形成する移行板が２つの側壁の間に設けられる。移行版は、接合によって２つの側壁に接続され、支持構造体の剛性を更に高めてもよい。しかしながら、側壁は、ここで、本発明の意味における剪断負荷重を受ける接合点が無いままである。
【００２４】
好ましいのは、少なくとも一つ、好ましくは両方の側壁が、接合点が無い状態で、それぞれの支持脚用ボックスを越えて、回転軸受用マウントまで拡張することである。回転軸受の為のタレットのマウントが支持脚用ボックスの上方にある場合、側壁は、本発明によると、それぞれの支持脚用ボックスを越えて、回転軸受用マウントまで突き出る。支持脚用ボックスを越えて突き出る側壁の、この部分に接合点が全く無い場合、これにより支持構造体の安定性が高められる。
【００２５】
ここで好ましいのは、支持脚用ボックスを越えて拡張する側壁の、それらの部品の成形が少なくとも可能なノッチ効果を有する場合である。そのため、側壁の当該部品は、側壁における（側壁に損傷をもたらす場合がある）不利な高い応力ピークが適切な成形によって可能な限り避けられるように成形されるべきである。
【００２６】
好ましいのは、タレットの壁配置が、支持脚用ボックスの側壁によって形成された領域外の領域において、単体によって、単一又は複数の角度付き又は丸みのある板によって形成され、好ましくは板が溶接によって支持脚用ボックスに接続される場合である。側壁の外側ではタレットが単体の板によって形成される点で、タレットの領域内の剪断負荷重を受ける接合点の数が減少または最小限にできる。述べられた板および側壁の間の接続は、基本的には、任意の所望の接合方法によって生み出されてもよいが、溶接される接続が好ましい。
【００２７】
回転軸受の為のマウントは、好ましくは完全に囲む軸受フランジとして形成され、これは、タレットの壁配置上に載置され、更に好ましくは、それに溶接される。囲む軸受フランジとして形成されるマウントという点で、力をタレットまたは壁配置に都合良く導入することが確保される。回転軸受の為のマウントとタレットの壁配置との間の溶接シームは、この場合、一般的に剪断負荷重を受けない。
【００２８】
本発明によるコンクリートポンプの説明については、前述したことを参照されたい。
【図面の簡単な説明】
【００２９】
以下、添付図面を参照して、有利な実施形態に基づき、例示型式で本発明を説明する。
【図１】図１は、本発明による支持構造体を備えた本発明によるコンクリートポンプの例示的な第１実施形態の側面図を示す。
【図２】図２は、分配ブームを持たない図１からのコンクリートポンプの平面図を示す。
【図３】図３は、図１および図２によるコンクリートポンプの支持構造体の分解図である。
【図４ａ】図４ａは、図３からの支持構造体の詳細図である。
【図４ｂ】図４ｂは、図３からの支持構造体の詳細図である。
【図５】図５は、図３および図４による支持構造体の第１設計変更例を示す。
【図６】図６は、図３および図４による支持構造体の第２設計変更例を示す。
【詳細な説明】
【００３０】
図１および図２に図示されたような分配ブーム２を備えた移動式コンクリートポンプ１の場合、（図１だけに図示された）分配ブーム２は、移動式下部構造体３上で回転できるように固定される。分配ブーム２は、複数の部品５を備え、これらの部品は、油圧シリンダ４によって配備可能であり、そこには、流動性コンクリート用搬送ライン６（一部のみ図示）が導かれている。下部構造体３上に配置されたコンクリートポンプ７によって、流動性コンクリートを供給ホッパ８から搬送ライン６を通って搬送ライン６の自由開放端部９まで搬送できる。
【００３１】
コンクリートポンプ１の使用中、特に、分配ブーム２の拡張および／または旋回中、コンクリートポンプ１の安定性を確保するため、分配ブーム２は、支持構造体１０によって下部構造体に接続される。支持構造体１０上には、合計４つの支持脚１１が設けられるが、それらのうち、２つの前方支持脚１１は、伸縮自在に展開可能であり、２つの後方支持脚１１は、ブームアーム１２によって横に旋回可能である。このため、支持構造体１０は、２つの支持脚用ボックス１３とブームアーム１２用軸受点１４とを有し、２つの支持脚用ボックス１３は、互いに斜めに交差し、中には前方支持脚１１用の伸縮自在管が配置されている。
【００３２】
下部構造体３に分配ブーム２を回転できるように接続するため、支持構造体１０に固定されたブーム台１５が設けられている。ブーム台１５は、開口部１７を備えたタレット１６を備え、搬送ライン６は、開口部１７を通って、コンクリートポンプ７から分配ブーム２まで導かれている。タレット１６は、開口部１７の一端に回転軸受１９用マウントを有し、これによって、分配ブーム２は下部構造体３に対して最終的に旋回できる。
【００３３】
支持構造体１０の直接の部品であるブーム台１５のおかげで、分配ブーム２によって導入された負荷重は、コンクリートポンプ１の下部構造体３が負荷重を受けることなく、支持構造体１０および拡張された支持脚１１を介して、地面に直接導入されることが確保される。
【００３４】
図３および図４ａ、図４ｂは、コンクリートポンプ１の支持構造体を詳細に図示する。図３において、図示のため、タレット１６の部品および支持脚用ボックス１３の部品は、支持構造体１０の他の部品から離して図示されている。図４ａおよび図４ｂは、完全に組み立てられた状態で支持構造体１０を示す。
【００３５】
支持構造体の、互いに斜めに交差する支持脚用ボックス１３は、二階建て構造であり、支持脚用ボックス１３内には、各々の場合、一つの伸縮自在管が異なる平面上に配置されているので、伸縮自在管は、支持脚用ボックス１３の交差点で交差することができる。ブームアーム１２の接続点１４は、支持脚用ボックス１３上に直接配置されている。
【００３６】
全体の支持構造体１０は、溶接板構造体、すなわち、支持構造体１０は、溶接シームによって互いに接続された複数の板から形成されている。これは、特に、支持脚用ボックス１３の側壁２０と、タレット１６の複数の角度付けされた壁板２１と，軸受フランジとして形成された回転軸受１９の為のマウント１８とを含む。
【００３７】
支持脚用ボックス１３の側壁２０は、支持構造体１０の組み立てられた状態で、それらが、角度付き壁板２１によって完成されるタレット１６の壁配置の一部を形成するように形成される。共通の上縁部を形成するため、側壁２０は、タレット１６の領域で支持脚用ボックス１３自体を超えて突き出し、特に、側壁の前記部分は、分配ブーム２からの予想される負荷重の存在下で、可能な最小限のノッチ効果を生み出すように設計される。マウント１８は、タレット１６の壁配置上に、すなわち、側壁２０および側板２１の問題となっている部分に固定され、タレット１６の壁配置によって形成された中央開口部１７をマウント１８が囲むようになっている。タレット１６の個々のコンポーネントは、この場合、溶接シームによって互いに接続されている。
【００３８】
支持脚用ボックス１３の側壁２０は、単体として形成されているので、接合点が全く無い。特に、側壁２０の内部には、マウント１８を介してタレット１６または支持構造体１０に導入された負荷重による剪断負荷重を受けるであろう垂直接合点または溶接シームが何も設けられていない。そのため、マウント１８を介して側壁２０に直接導入された力は、接合点がプロセスにおいて高い負荷重を受けることなく、側壁２０の全体にわたって有利に分布する。壁板２１によって形成された、タレット１６の他の壁に導入された負荷重は、接続溶接シームを介して側壁２０に導入されるが、同様に、側壁の全体にわたって分布させることができる。
【００３９】
２つの側壁２０は、側面のボックス１３の領域で互いに対して直接接しており、そこで、互いに溶接されている。支持脚用ボックス１３の上方には、２つの側壁２０の間に移行板２２が設けられ、この上に、マウント１８の一部が最終的に載るようになっている。移行板２２は、溶接シームによって側壁２０に固定される。
【００４０】
図５および図６は、図３および図４ａ、図４ｂからの支持構造体の設計変形例を示す。ここで、支持構造体１０は、前述した構造体と実質的に対応するため、図３および図４ａ、図４ｂに図示された支持構造体に関する違いのみを以下に説明する。その他の点では、図１〜図４に関する記述が同様に適用される。
【００４１】
図５の設計変形例において、側壁２０は、マウント１８まで、それらが互いに溶接される共通の当接縁部２３を有する。それにも拘わらず、移行板２２は、追加の補強手段として設けられる。
【００４２】
図６の設計変形例において、側壁２０の共通の当接縁部２３は、同様にマウント１８まで拡張している。対照的に、移行板２２は設けられていないが、これは、支持構造体の残りの構成が既に安定しており、剛性を有するからである。回転軸受１９の為のマウント１８は、全周にわたって、側壁２０または壁板２１に載るように形成されている。
【図１】
2020510767.tif 000003
【図２】
2020510767.tif 000004
【図３】
2020510767.tif 000005
【図４ａ】
2020510767.tif 000006
【図４ｂ】
2020510767.tif 000007
【図５】
2020510767.tif 000008
【図６】
2020510767.tif 000009
【国際調査報告】
2020510767.tif 000010
2020510767.tif 000011
2020510767.tif 000012
2020510767.tif 000013
2020510767.tif 000014
2020510767.tif 000015